(57)【特許請求の範囲】
【請求項１】
次の工程：
（ａ）湿潤ガス混合物Ｇを、１−エチル−３−メチルイミダゾリウムジエチルホスファートを含む液状の吸収媒体ＡVEと接触させ、
この際に、前記液状の吸収媒体ＡVEは、前記湿潤ガス混合物Ｇから水を少なくとも部分的に吸収し、
それにより、前記液状の吸収媒体ＡVEと比べて高められた含水率を有する液状の吸収媒体ＡVE1と、前記湿潤ガス混合物Ｇと比べて低い含水率を有するガス混合物Ｇ1が得られ、
（ｂ）前記液状の吸収媒体ＡVE1から水を少なくとも部分的に除去し、それにより、前記液状の吸収媒体ＡVE1と比べて低い含水率を有する液状の吸収媒体ＡVE2が得られ、
ここで、装置Ｖ1は、少なくとも部分的に、アルミニウム素材からなる表面ＯAlを有し、かつ前記装置Ｖ1において、ＡVE、ＡVE1、ＡVE2からなる群から選択される前記液状の吸収媒体の少なくとも１つが、少なくとも１つの接触面を介してアルミニウム素材からなる前記表面ＯAlに接触することを含む、
装置Ｖ1内で、湿潤ガス混合物Ｇを除湿する方法。
【請求項２】
前記液状の吸収媒体ＡVEは、１−エチル−３−メチルイミダゾリウムジエチルホスファートの質量が、水溶液の全質量を基準として少なくとも７０質量％である水溶液である、請求項１記載の方法。
【請求項３】
連続的に実施される、請求項１または２記載の方法。
【請求項４】
構成要素として、
（ｉ）１−エチル−３−メチルイミダゾリウムジエチルホスファートを含む液状の吸収媒体ＡVO、
（ｉｉ）湿潤ガス混合物を前記液状の吸収媒体ＡVOと接触させるために設置されている少なくとも１つの水吸収ユニットＷabs2、
（ｉｉｉ）熱交換器Ｗx2を備え、かつ前記液状の吸収媒体ＡVOから水を少なくとも部分的に除去するために設置されている少なくとも１つの水脱着ユニットＷdes2、
（ｉｖ）ならびに前記水吸収ユニットＷabs2を前記水脱着ユニットＷdes2と連結し、かつ液状の吸収媒体ＡVOを循環するように案内可能である循環路Ｕ2を含み、
ここで、水吸収ユニットＷabs2、水脱着ユニットＷdes2、循環路Ｕ2の前記構成要素の少なくとも１つは、少なくとも部分的に、アルミニウム素材からなる表面ＯAlを有し、かつ
ここで、装置Ｖ2内に、前記液状の吸収媒体ＡVOがアルミニウム素材からなる前記表面ＯAlと接触する少なくとも１つの接触面が存在する、湿潤ガス混合物を除湿する装置Ｖ2。
【請求項５】
ＡVOは、１−エチル−３−メチルイミダゾリウムジエチルホスファートの質量が、水溶液の全質量を基準として少なくとも７０質量％である水溶液である、請求項４記載の装置Ｖ2。
【請求項６】
水吸収ユニットＷabs2、水脱着ユニットWdes2の前記構成要素の少なくとも一方が、流下膜装置である、請求項４または５項記載の装置Ｖ2。
【請求項７】
前記水吸収ユニットＷabs2から前記水脱着ユニットＷdes2に供給される液状の吸収媒体ＡVOに、前記水脱着ユニットＷdes2から搬出される液状の吸収媒体ＡVOの熱を加えることが可能であるように設置されている別の熱交換器Ｗy2を備える、請求項４から６までのいずれか１項記載の装置Ｖ2。
【請求項８】
請求項４から７までのいずれか１項記載の装置Ｖ2と、別の構成要素として、凝縮器、蒸発器、および冷媒とを備え、前記冷媒は水である、吸収式ヒートポンプ。
【請求項９】
請求項１から３までのいずれか１項記載の方法を実施するための、請求項４から７までのいずれか１項記載の装置Ｖ2の使用。
【発明の詳細な説明】
【技術分野】
【０００１】
本発明は、湿潤ガス混合物を除湿する方法に関する。本発明は、また、湿潤ガス混合物を除湿する装置、および本発明による方法におけるその使用に関する。
【０００２】
発明の背景
湿潤ガス混合物の除湿は、多くの技術分野において必要である。
【０００３】
例えば、建物または車両の換気および空調の際に、空気を、一般に冷却しなければならないばかりか、除湿しなければならない、というのも、冷却されるべき空気は、しばしば、所望の温度に冷却する際に露点を下回るほど高い湿度を有するためである。したがって、慣用の空調設備では、消費電力の大部分が空気の除湿に割り当てられる。
【０００４】
建物用の空調設備の電力消費を低減するために、空気を乾燥媒体を用いた水の吸着または吸収によって除湿し、引き続き水を負荷した乾燥媒体を、水が再び脱着される温度に加熱することによって再生する。液状の吸収媒体中での吸収は、この場合、固体の吸収剤による吸着と比べて、空気乾燥を装置的に、より簡単にかつより少ない乾燥媒体を用いて実施することができ、かつ水を負荷した乾燥媒体の再生を、太陽熱を用いてより簡単に実施することができるという利点を有する。
【０００５】
湿潤ガス混合物の除湿が使用される別の技術分野は、吸収式冷凍機の分野である（原理は国際公開第２０１４／０７９６７５号（WO2014/079675A1）に記載されている）。ここでは、湿潤ガス混合物は、低圧下での水の蒸発の際に生じる。こうして生じた水蒸気は、湿潤ガス混合物から取り出さなければならず、それにより、次いで再び水の蒸発に供給しかつ新たなサイクルを進めることができる。ここでもまた、液状の吸収媒体中での吸収は、固体の吸収媒体内への吸収を凌駕している。
【０００６】
最後に、湿潤ガス混合物の除湿は、例えば独国特許出願公開第１０２０１０００４７７９号明細書（DE 10 2010 004 779 A1）に記載されているように、天然ガス採掘の分野においても重要である。
【０００７】
空気除湿設備または天然ガス除湿設備および冷凍機において通常組み込まれる材料は、例えば、チタン、銅または貴金属である。その他に、空気除湿設備内では、アルミニウムを基礎とする構成部材も使用される。アルミニウムは、チタン、銅または特殊鋼のような他の材料と比べて高い熱伝導率を有するという利点を有する。その他に、アルミニウムは、比較的簡単に加工可能で、比較的軽量でかつ比較的安価である。そのため、特に自動車製造の場合には、他の材料と比べてアルミニウムからなる空調設備が好ましい。
【０００８】
商業的空調設備において今まで液状の吸収媒体として使用されてきた臭化リチウム、塩化リチウムまたは塩化カルシウムの水溶液は、空調設備内で一般的に使用される金属素材に対して腐食性であり、したがって高価な特別な素材の使用を必要とするという欠点を有する。この問題は、ことにアルミニウムの場合に存在する。さらに、吸収媒体から塩が晶出することにより、これらの溶液で問題が生じることがある。
【０００９】
Y. Luo et al., Appl. Thermal Eng. 31 (2011) 2772-2777には、空気乾燥のために臭化リチウムの水溶液の代わりに、イオン液体の１−エチル−３−メチルイミダゾリウムテトラフルオロボラートを使用することが提案されている。しかしながら、このイオン液体は、吸収能力が乏しいという欠点を有する。
【００１０】
Y. Luo et al., Solar Energy 86 (2012) 2718-2724には、空気乾燥のために、１−エチル−３−メチルイミダゾリウムテトラフルオロボラートの代替物として、イオン液体の１，３−ジメチルイミダゾリウムアセタートが提案されている。しかしながら、１，３−ジメチルイミダゾリウムアセタートは安定ではなく、かつ脱着の際にかなりの部分が分解する。
【００１１】
この問題は、米国特許出願公開第２０１１／０２４７４９４号明細書（US 2011/0247494 A1）の段落［０１４５］で提案されたイオン液体の場合でも存在する。ここでは、塩化リチウム水溶液の代わりにトリメチルアンモニウムアセタートまたは１−エチル−３−メチルイミダゾリウムアセタートを液状の乾燥剤として使用することが提案されている。実施例３は、一連の他のイオン液体について、湿潤空気からの吸水性を比較する。
【００１２】
中国特許出願公開第１０２３３５５４５号明細書（CN 102335545 A）は、空気除湿のための吸収媒体として、上述の問題を有しないイオン液体の水溶液を記載している。この吸収媒体は、鋼に対して腐食性であるべきではない。イオン液体として、とりわけ、１，３−ジメチルイミダゾリウムジメチルホスファート、１−エチル−３−メチルイミダゾリウムジメチルホスファートおよび１−ブチル−３−メチルイミダゾリウムジメチルホスファートが記載されている。しかしながら、中国特許出願公開第１０２３３５５４５号明細書（CN102335545A）は、主に鋼を基礎とする空気除湿器を取り扱っている。しかしながら、この材料は上述の理由からアルミニウムに対して不利である。さらに、空気除湿を効率的に実施するために重要である熱伝達は、中国特許出願公開第１０２３３５５４５号明細書（CN102335545A）に挙げられたイオン液体を用いた場合に比較的低い。
【００１３】
したがって、アルミニウムを基礎とする空調設備、空気除湿器、吸収式冷凍機内で使用する際に、先行技術のものよりも低い腐食性を有する吸収媒体を提供するという課題が課せられた。さらに、これらの吸収媒体は、より良好な熱伝達も保証することが好ましい。
【００１４】
意外にも、ここで、アルミニウムに対して余り腐食せず、特に良好な熱伝達を保証する吸収媒体が見出された。
【００１５】
発明の詳細な説明
したがって、本発明は、第１の態様の場合に、次の工程：
（ａ）湿潤ガス混合物Ｇを、Ｑ+（ＲＯ）2ＰＯ2-、（Ｑ+）2ＲＯＰＯ32-、Ｑ+Ｍ+ＲＯＰＯ32-からなる群から選択される少なくとも１種の塩を含む液状の吸収媒体ＡVEと接触させ、
この際に、液状の吸収媒体ＡVEは、湿潤ガス混合物Ｇから水を少なくとも部分的に吸収し、
それにより、液状の吸収媒体ＡVEと比べて高められた含水率を有する液状の吸収媒体ＡVE1と、湿潤ガス混合物Ｇと比べて低い含水率を有するガス混合物Ｇ1が得られ、
（ｂ）液状の吸収媒体ＡVE1から水を少なくとも部分的に除去し、それにより、液状の吸収媒体ＡVE1と比べて低い含水率を有する液状の吸収媒体ＡVE2が得られ、
ここで、装置Ｖ1は、少なくとも部分的に、アルミニウム素材からなる表面ＯAlを有し、かつ装置Ｖ1において、ＡVE、ＡVE1、ＡVE2からなる群から選択される液状の吸収媒体の少なくとも１つが、少なくとも１つの接触面を介してアルミニウム素材からなる表面ＯAlに接触すること
を含む、装置Ｖ1内で湿潤ガス混合物Ｇ、ことに湿潤空気を除湿する方法において、
Ｑ+は、１，３−ジアルキルイミダゾリウムであり、ここで、アルキル基は、互いに無関係に、非分枝のまたは分枝したＣ1〜Ｃ6−アルキル基であり、
Ｒは、非分枝のまたは分枝したＣ2〜Ｃ6−アルキル基であり、
かつ、Ｍ+は、アルカリ金属イオン、好ましくはＬｉ+、Ｋ+、Ｎａ+からなる群から選択されるアルカリ金属イオン、より好ましくはＫ+、Ｎａ+からなる群から選択されるアルカリ金属イオン、好ましくはＫ+であることを特徴とする湿潤ガス混合物Ｇを除湿する方法に関する。
【００１６】
この方法で使用された湿潤ガス混合物Ｇは、特に制限はない。「湿潤」とは、本発明の主旨で、「水、ことに水蒸気を含む」ことを意味する。「除湿」とは、少なくとも部分的に水を除去することを意味する。
【００１７】
「少なくとも部分的に」とは、本発明の主旨で、「部分的にまたは完全に」を意味する。
【００１８】
したがって、「湿潤ガス混合物Ｇ」とは、本発明の主旨で、ガス混合物Ｇが、水、好ましくは水蒸気（「水蒸気」とは気体の状態の水を意味する）を含み、かつその組成はその他に特に制限はないことを意味する。湿潤ガス混合物の含水率は、この場合、特に制限はないが、ことに０．０１体積％〜９９．９９体積％（「体積％」とは、湿潤ガス混合物Ｇの全体積を基準にした水蒸気の体積を表す）にある。その他の点で、湿潤ガスＧの組成は、本発明による方法の適用に応じて変化してよい。湿潤ガス混合物Ｇは、ことに、湿潤天然ガス、湿潤空気（これは、湿潤室内空気または吸収式冷凍機内の水の蒸発の際に生じる湿潤空気であることができる）、好ましくは湿潤空気から選択される。湿潤天然ガスの場合に、含水率は、ことに０．０１体積％〜１５．００体積％にあり、湿潤空気の場合に、ことに０．０１体積％〜５．００体積％であり、湿潤室内空気である場合には、またはことに９５．００体積％〜９９．９９体積％にあり、これは、吸収式冷凍機内で水の蒸発の際に生じる湿潤空気である場合に好ましい範囲である。
【００１９】
本発明による方法は、装置Ｖ1で実施される。装置Ｖ1は、本発明による方法を実施するために適しているべきであるという点でのみ限定される。ことに、次の構成要素：
（ｉ）湿潤ガス混合物を液状の吸収媒体ＡVEと接触させるために設置されている少なくとも１つの水吸収ユニットＷabs1、
（ｉｉ）熱交換器Ｗx1を備え、かつ液状の吸収媒体ＡVEから水を少なくとも部分的に除去するために設置されている少なくとも１つの水脱着ユニットＷdes1、
（ｉｉｉ）ならびに水吸収ユニットＷabs1を水脱着ユニットＷdes1と連結し、かつ液状の吸収媒体ＡVEを循環するように案内可能である循環路Ｕ1
を含む装置Ｖ1を使用することができる。
【００２０】
水吸収ユニットＷabs1内で、ことに本発明による方法の工程ａ）が実施される。水吸収ユニットＷabs1としては、この場合、ことに、当業者に公知の水吸収装置を使用することができる。この水吸収装置は、水の吸収の際に、液状の吸収媒体ＡVEの表面積を増大させ、かつ同時に水吸収装置内での液状吸収媒体ＡVEのできる限り大きな滞留時間を達成するという原理に基づく。ことに、ここでは次の群から選択される水吸収装置を使用することができる：固定床（「packed beds」）、スプレー塔（「spray columns」）、流下膜式装置（「falling-films」）、気泡塔（「bubble columns」）、複数のトレーを備えた塔（「tray column」）、湿式スクラバー（例えば「Venturi scrubbers」）、混合容器（「stirred tank」）およびこれらの吸収装置の組み合わせ。特に好ましくは、水吸収装置として、流下膜式装置、ことに管束型流下膜式装置が使用される。水吸収ユニットＷabs1は、ことに、液状の吸収媒体ＡVEが冷却可能であるように設置されている付加的熱交換器Ｗz1を含むこともできる。
【００２１】
熱交換器Ｗx1を備えた水脱着ユニットＷdes1内で、ことに、本発明による方法の工程ｂ）が実施される。水脱着ユニットＷdes1は、水を負荷した液状の吸収媒体ＡVEに熱を供給し、水を負荷した液状の吸収媒体ＡVEの表面積を増大させ、かつ同時に水脱着ユニット内で、水を負荷した液状の吸収媒体ＡVEのできる限り大きな滞留時間を達成するという原理に基づく。
【００２２】
熱交換器Ｗx1を備えた水脱着ユニットＷdes1として、この場合、ことに熱交換器と水脱着装置との当業者に公知の組み合わせ、ことに上流側に設置された熱交換器、ことに管束式熱交換器（「shell and tube」）、プレート式熱交換器（plate and frame）を備えたスプレー式蒸発器（「horizontal tube evaporator」）を使用することができる。その他に、熱交換器Ｗx1を備えた水脱着ユニットＷdes1は、組込型の熱交換器を備えた水脱着装置であってもよい。組込型の熱交換器を備えたこのような水脱着装置は、ことに、上昇膜式蒸発器、流下膜式蒸発器（「long-tube vertical」）、Robert蒸発器（「short-tube vertical」）、強制循環型蒸発器（「forced circulation」）、薄膜型蒸発器（「agitated thin film」）である。特に好ましくは、水脱着ユニットＷdes1として、流下膜式装置、ことに管束型流下膜式装置が使用される。
【００２３】
循環路Ｕ1内で、ことに、本発明による方法の工程ａ）からのＡVE1は、水吸収ユニットＷabs1から水脱着ユニットＷdes1に案内され、かつ、さらに好ましくは、本発明による方法が連続的に実施される場合には、さらに、本発明による方法の工程ｂ）からのＡVE2が、水吸収ユニットＷdes1から水脱着ユニットＷabs1へ案内される。
【００２４】
循環路Ｕ1として、ことに導管、ことに管、ホースからなる群から選択される導管が使用される。
【００２５】
さらに好ましい実施形態の場合に、循環路Ｕ1はポンプも有する。
【００２６】
本発明による方法の第１の工程では、湿潤ガス混合物Ｇを、Ｑ+（ＲＯ）2ＰＯ2-、（Ｑ+）2ＲＯＰＯ32-、Ｑ+Ｍ+ＲＯＰＯ32-からなる群から選択される少なくとも１種の塩を含む液状の吸収媒体ＡVEと接触させる。この接触は、当業者に公知の任意の方法様式で、ことに水吸収ユニットＷabs1内で実施することができる。この接触により、吸収媒体ＡVEは、少なくとも部分的に水分、つまり水を、湿潤ガス流Ｇから吸収し、それにより、液状の吸収媒体ＡVEと比べて高められた含水率を有する液状の吸収媒体ＡVE1と、湿潤ガス混合物Ｇと比べて低い含水率を有するガス混合物Ｇ1とが得られる。
【００２７】
好ましくは、吸収媒体ＡVEは、湿潤ガス混合物Ｇの接触の際に冷却され、それにより、湿潤ガス混合物Ｇからできる限り多くの水分が吸収される。これは、例えば、水吸収ユニットＷabs1内の付加的熱交換器Ｗz1を介して達成することができる。湿潤ガス混合物Ｇとの接触の際の吸収媒体ＡVEの温度は、この場合、好ましくは１５〜９０℃、より好ましくは２０〜８０℃、さらにより好ましくは２０〜４０℃の範囲にある。
【００２８】
吸収媒体ＡVEは、Ｑ+（ＲＯ）2ＰＯ2-、（Ｑ+）2ＲＯＰＯ32-、Ｑ+Ｍ+ＲＯＰＯ32-からなる群から選択される少なくとも１種の塩を含み、ここで、Ｑ+は、１，３−ジアルキルイミダゾリウムであり、ここで、アルキル基は、相互に無関係に非分枝のまたは分枝したＣ1〜Ｃ6−アルキル基であり、Ｒは、非分枝のまたは分枝したＣ2〜Ｃ6−アルキル基であり、Ｍ+は、アルカリ金属イオン、好ましくはＬｉ+、Ｋ+、Ｎａ+からなる群から選択されるアルカリ金属イオン、より好ましくはＫ+、Ｎａ+からなる群から選択されるアルカリ金属イオン、好ましくはＫ+である。
【００２９】
好ましい実施態様の場合に、Ｒは、この場合、エチル基、ｎ−プロピル基、イソプロピル基、ｎ−ブチル基、ｓｅｃ−ブチル基、ｔｅｒｔ−ブチル基、ｎ−ペンチル基、２−ペンチル基、３−ペンチル基、２−メチルブチル基、３−メチルブチル基、３−メチルブタ−２−イル基、２−メチルブタ−２−イル基、２−ジメチルプロピル基、ｎ−ヘキシル基からなる群から選択される。Ｒは、好ましくは、エチル基、ｎ−プロピル基、イソプロピル基、ｎ−ブチル基、ｓｅｃ−ブチル基、ｔｅｒｔ−ブチル基、ｎ−ペンチル基、ｎ−ヘキシル基からなる群から選択される；Ｒは、さらにより好ましくは、エチル基、ｎ−ブチル基からなる群から選択される。本発明の全く特に好ましい実施形態の場合に、Ｒ＝エチル基である。つまり、意外にも、Ｒ＝エチル基を有するイミダゾリウム塩は、特に低い接触角を有し、したがって特に良好な表面濡れ性を保証することが見出された。これにより、より大きな接触面が生じ、それにより濡れていない空間は減少し、ひいては装置Ｖ1内での改善された熱伝達が生じ、それにより特に効果的な方法が生じる。
【００３０】
Ｑ+は、ことに、１，３−ジメチルイミダゾリウム、１，３−ジエチルイミダゾリウム、１−エチル−３−メチルイミダゾリウム、１−ｎ−ブチル−３−メチルイミダゾリウムからなる群から選択される。Ｑ+は、好ましくは、１，３−ジエチルイミダゾリウム、１−エチル−３−メチルイミダゾリウム、１−ｎ−ブチル−３−メチルイミダゾリウムからなる群から選択される。Ｑ+は、さらにより好ましくは、１−エチル−３−メチルイミダゾリウム、１−ｎ−ブチル−３−メチルイミダゾリウムからなる群から選択される。Ｑ+は、そのうえさらにより好ましくは、１−エチル−３−メチルイミダゾリウムである。
【００３１】
液状の吸収媒体ＡVEは、この場合、Ｑ+（ＲＯ）2ＰＯ2-、（Ｑ+）2ＲＯＰＯ32-およびＱ+Ｍ+ＲＯＰＯ32-の構造の純粋な塩の形態で使用することができる。これとは別にかつより好ましくは、液状の吸収媒体ＡVEは、Ｑ+（ＲＯ）2ＰＯ2-、（Ｑ+）2ＲＯＰＯ32-およびＱ+Ｍ+ＲＯＰＯ32-の構造の全ての塩の全質量が、水溶液の全質量を基準として少なくとも７０質量％である水溶液である。さらにより好ましくは、Ｑ+（ＲＯ）2ＰＯ2-、（Ｑ+）2ＲＯＰＯ32-およびＱ+Ｍ+ＲＯＰＯ32-の構造の全ての塩の全質量は、水溶液の全質量を基準として少なくとも８０質量％、さらにより好ましくは８５質量％ 、さらにより好ましくは９０質量％である。
【００３２】
本発明による方法の第１の工程で得られた、湿潤ガス混合物Ｇと比べて低い含水率を有するガス混合物Ｇ1は、このとき、除湿されたガス流であり、この除湿されたガス流は、適用に応じて、除湿された空気の形で居住空間または作業空間に供給することができるか、または天然ガスの場合には発電に供給することができる。
【００３３】
本発明による方法の第１工程で得られた液状の吸収媒体ＡVE1は、液状の吸収媒体ＡVEと比べて高められた含水率を有する。ＡVE1は、それに含まれるＱ+（ＲＯ）2ＰＯ2-、（Ｑ+）2ＲＯＰＯ32-、Ｑ+Ｍ+ＲＯＰＯ32-からなる群から選択される塩に関して、ＡVEと同じであり、かつ好ましくはそれとは含水率が異なるだけであることが自明である。
【００３４】
本発明による方法の第２の工程では、次いで、液状の吸収媒体ＡVE1からの水の少なくとも部分的な除去が行われ、それにより、液状の吸収媒体ＡVE1と比べて低い含水率を有する液状の吸収媒体ＡVE2が得られる。この場合、液状の吸収媒体ＡVE1には、付加的に熱が供給される。熱の供給および少なくとも部分的な除去は、当業者に公知の任意の方法様式で、ことに熱交換器Ｗx1を備えた水脱着ユニットＷdes1内で行うことができる。液状の吸収媒体ＡVE1からの水の少なくとも部分的な除去により、液状の吸収媒体ＡVE1よりも低い含水率を有する液状の吸収媒体ＡVE2が得られる。
【００３５】
液状の吸収媒体ＡVE2は、それに含まれるＱ+（ＲＯ）2ＰＯ2-、（Ｑ+）2ＲＯＰＯ32-、Ｑ+Ｍ+ＲＯＰＯ32-からなる群から選択される塩に関して、液状の吸収媒体ＡVE1と同じであり、かつ好ましくはこれとは含水率が異なるだけであることが自明である。
【００３６】
本発明による方法の本質的な特徴は、装置Ｖ1が、少なくとも部分的に、アルミニウム素材からなる表面ＯAl（ＯAlは、本発明の主旨で、「Oberflaeche aus einem Aluminiumwerkstoff（アルミニウム素材からなる表面）」の省略形を表す）を有することである。
【００３７】
アルミニウム素材とは、本発明の主旨で、ことに合金化されていないアルミニウムであるとも、アルミニウムの含有量が、含まれる他の任意の元素よりも大きいアルミニウム合金であるとも解釈することができる。好ましくは、アルミニウム素材は、合金化されていないアルミニウムである。
【００３８】
合金化されていないアルミニウムは、ことに＞９９．０質量％、より好ましくは＞９９．９質量％の純度を有する高純度アルミニウムである。
【００３９】
アルミニウム合金は、アルミニウムの他に、ことに、マグネシウム、マンガン、ケイ素、亜鉛、鉛、銅、チタン、鉄からなる群から選択される少なくとも１種の合金金属、より好ましくはマグネシウム、マンガン、ケイ素、亜鉛、鉛、銅、チタンからなる群から選択される少なくとも１種の合金金属を含む。アルミニウム素材は、ことに、鍛造合金または鋳造合金として存在してもよい。
【００４０】
本発明による方法の別の本質的な特徴は、装置Ｖ1内で、ＡVE、ＡVE1、ＡVE2からなる群から選択される液状の吸収媒体の少なくとも１種が、少なくとも１つの接触面を介してアルミニウム素材からなる表面ＯA1に接触することである。これは、液状の吸収媒体ＡVEがこの接触面でアルミニウム素材からなる表面ＯA1と直接接触していることを意味する。「直接接触している」とは、本発明の主旨で、特に「濡れる」ことを意味する。この場合、ＡVE、ＡVE1、ＡVE2からなる群から選択される液状の吸収媒体と、接触面に含まれるアルミニウムとが直接接触していることは自明である。接触面に含まれるアルミニウムは、この場合、特に制限されないが、ことに単体アルミニウムまたはアルミニウム化合物、例えばことに不動態化されたアルミニウム（この場合、不動態化されたアルミニウムとは、ことに酸化アルミニウムを意味する）からなる群から選択される。
【００４１】
次の構成要素：
（ｉ）湿潤ガス混合物を液状の吸収媒体ＡVEと接触させるために設置されている少なくとも１つの水吸収ユニットＷabs1、
（ｉｉ）熱交換器Ｗx1を備え、かつ液状の吸収媒体ＡVEから水を少なくとも部分的に除去するために設置されている少なくとも１つの水脱着ユニットＷdes1、
（ｉｉｉ）ならびに水吸収ユニットＷabs1を水脱着ユニットＷdes1と連結し、かつ液状の吸収媒体ＡVEを循環するように案内可能である循環路Ｕ1
を含む装置Ｖ1が使用される本発明による実施形態の場合に、
ＡVE、ＡVE1、ＡVE2からなる群から選択される液状の吸収媒体がアルミニウム素材からなる表面ＯAlと接触する接触面は、ことに水吸収ユニットＷabs1、水脱着ユニットＷdes1、循環路Ｕ1からなる群から選択される構成要素の少なくとも１つの中に存在する、好ましくは、水吸収ユニットＷabs1、水脱着ユニットＷdes1の群から選択される構成要素の少なくとも１つの中に存在する。
【００４２】
つまり意外にも、本発明による塩は、アルミニウムの特に僅かな腐食を引き起こし、かつＡVE、ＡVE1、ＡVE2からなる群から選択される液状の吸収媒体の１つが、アルミニウム素材からなる表面ＯAlに直接接触する、アルミニウム素材からなる表面ＯAlを備えた装置Ｖ1内での液状の吸収媒体として特に良好に適している。
【００４３】
さらに好ましい実施形態の場合に、本発明による方法は連続的に実施される。これは、ことに、工程ｂ）に引き続き、工程ａ）およびｂ）が少なくともさらにもう１回行われ、かつそれぞれ付加的に行われる工程ａ）で使用される液状の吸収媒体ＡVEは、少なくとも部分的に、直前に行われた工程ｂ）から得られた液状の吸収媒体ＡVE2であり、つまり、ことにそれぞれ付加的に行われる工程ａ）で使用される液状の吸収媒体ＡVEと、直前に行われる工程ｂ）からの液状の吸収媒体ＡVE2との含水量は同じであることを意味する。
【００４４】
さらにより好ましくは、この実施形態の場合に、液状の吸収媒体ＡVE1に、液状の吸収媒体ＡVE2の熱が加えられる。これは、ことに管束型熱交換器（「shell and tube」）、プレート型熱交換器（「plate and frame」）からなる群から選択される付加的な熱交換器Ｗy1内で実施することができる。これは、本発明による方法の特にエネルギー効率の良い実施を可能にする。
【００４５】
本発明は、別の態様の場合に、次の構成要素：
（ｉ）Ｑ+（ＲＯ）2ＰＯ2-、（Ｑ+）2ＲＯＰＯ32-、Ｑ+Ｍ+ＲＯＰＯ32-からなる群から選択される少なくとも１種の塩を含む液状の吸収媒体ＡVO、
（ｉｉ）湿潤ガス混合物を液状の吸収媒体ＡVOと接触させるために設置されている少なくとも１つの水吸収ユニットＷabs2、
（ｉｉｉ）熱交換器Ｗx2を備え、かつ液状の吸収媒体ＡVOから水を少なくとも部分的に除去するために設置されている少なくとも１つの水脱着ユニットＷdes2、
（ｉｖ）ならびに水吸収ユニットＷabs2を水脱着ユニットＷdes2と連結し、かつ液状の吸収媒体ＡVOを循環するように案内可能である循環路Ｕ2を含み、
その際、水吸収ユニットＷabs2、水脱着ユニットＷdes2、循環路Ｕ2の構成要素の少なくとも１つは、少なくとも部分的に、アルミニウム素材からなる表面ＯAlを有し、かつ
ここで、装置Ｖ2内に、液状の吸収媒体ＡVOがアルミニウム素材からなる表面ＯAlと接触する少なくとも１つの接触面が存在する、湿潤ガス混合物、ことに湿潤空気を除湿する装置Ｖ2において、
Ｑ+は、１，３−ジアルキルイミダゾリウムであり、ここで、アルキル基は、互いに無関係に、非分枝のまたは分枝したＣ1〜Ｃ6−アルキル基であり、
Ｒは、非分枝のまたは分枝したＣ2〜Ｃ6−アルキル基であり、
かつ、Ｍ+は、アルカリ金属イオン、好ましくはＬｉ+、Ｋ+、Ｎａ+からなる群から選択されるアルカリ金属イオン、より好ましくはＫ+、Ｎａ+からなる群から選択されるアルカリ金属イオン、好ましくはＫ+であることを特徴とする、湿潤ガス混合物を除湿する装置Ｖ2に関する。
【００４６】
本発明による装置Ｖ2は、湿潤ガス混合物、特に湿潤空気の除湿のために適している。この装置Ｖ2は、次の構成要素を含む：
第１の構成要素として、本発明による装置Ｖ2は、Ｑ+（ＲＯ）2ＰＯ2-、（Ｑ+）2ＲＯＰＯ32-、Ｑ+Ｍ+ＲＯＰＯ32-からなる群から選択される少なくとも１種の塩を含む液状の吸収媒体ＡVOを含み、この場合、Ｑ+は、１，３−ジアルキルイミダゾリウムであり、ここで、アルキル基は、互いに無関係に、非分枝のまたは分枝したＣ1〜Ｃ6−アルキル基であり、Ｒは、非分枝のまたは分枝したＣ2〜Ｃ6−アルキル基であり、かつ、Ｍ+は、アルカリ金属イオン、好ましくはＬｉ+、Ｋ+、Ｎａ+からなる群から選択されるアルカリ金属イオン、より好ましくはＫ+、Ｎａ+からなる群から選択されるアルカリ金属イオン、好ましくはＫ+である。
【００４７】
好ましい実施態様の場合に、Ｒは、この場合、エチル基、ｎ−プロピル基、イソプロピル基、ｎ−ブチル基、ｓｅｃ−ブチル基、ｔｅｒｔ−ブチル基、ｎ−ペンチル基、２−ペンチル基、３−ペンチル基、２−メチルブチル基、３−メチルブチル基、３−メチルブタ−２−イル基、２−メチルブタ−２−イル基、２−ジメチルプロピル基、ｎ−ヘキシル基からなる群から選択される。Ｒは、好ましくは、エチル基、ｎ−プロピル基、イソプロピル基、ｎ−ブチル基、ｓｅｃ−ブチル基、ｔｅｒｔ−ブチル基、ｎ−ペンチル基、ｎ−ヘキシル基からなる群から選択される；Ｒは、さらにより好ましくは、エチル基、ｎ−ブチル基からなる群から選択される。本発明の全く特に好ましい実施形態の場合に、Ｒ＝エチル基である。つまり、意外にも、Ｒ＝エチル基を有するイミダゾリウム塩は、特に低い接触角を有し、したがって特に良好な表面濡れ性を保証することが見出された。これにより、より大きな接触面が生じ、それにより濡れていない空間は減少し、ひいては装置Ｖ2内での改善された熱伝達が生じ、それにより特に効果的な装置Ｖ2が生じる。
【００４８】
Ｑ+は、ことに、１，３−ジメチルイミダゾリウム、１，３−ジエチルイミダゾリウム、１−エチル−３−メチルイミダゾリウム、１−ｎ−ブチル−３−メチルイミダゾリウムからなる群から選択される。Ｑ+は、好ましくは、１，３−ジエチルイミダゾリウム、１−エチル−３−メチルイミダゾリウム、１−ｎ−ブチル−３−メチルイミダゾリウムからなる群から選択される。Ｑ+は、さらにより好ましくは、１−エチル−３−メチルイミダゾリウム、１−ｎ−ブチル−３−メチルイミダゾリウムからなる群から選択される。Ｑ+は、そのうえさらにより好ましくは、１−エチル−３−メチルイミダゾリウムである。
【００４９】
液状の吸収媒体ＡVOは、Ｑ+（ＲＯ）2ＰＯ2-、（Ｑ+）2ＲＯＰＯ32-およびＱ+Ｍ+ＲＯＰＯ32-の構造の純粋な塩の形態で使用することができる。あるいは、およびより好ましくは、液状の吸収媒体ＡVOは、Ｑ+（ＲＯ）2ＰＯ2-、（Ｑ+）2ＲＯＰＯ32-およびＱ+Ｍ+ＲＯＰＯ32-の構造の全ての塩の全質量が、水溶液の全質量を基準として少なくとも７０質量％である水溶液である。さらにより好ましくは、Ｑ+（ＲＯ）2ＰＯ2-、（Ｑ+）2ＲＯＰＯ32-およびＱ+Ｍ+ＲＯＰＯ32-の構造の全ての塩の全質量は、水溶液の全質量を基準として少なくとも８０質量％、さらにより好ましくは８５質量％、さらにより好ましくは９０質量％である。
【００５０】
第２の構成要素として、本発明による装置Ｖ2は、湿潤ガス混合物を液状の吸収媒体ＡVOと接触させるために設置されている水吸収ユニットＷabs2を含む。水吸収ユニットＷabs2は、ことに、液状の吸収媒体ＡVOが冷却可能であるために設置されている付加的熱交換器Ｗz2を備えることができる。このような水吸収ユニットＷabs2として、この場合、ことに当業者に公知の水吸収装置を用いることができる。この水吸収装置は、水の吸収の際に、液状の吸収媒体ＡVOの表面積を増大させ、かつ同時に水吸収装置内での液状の吸収媒体ＡVOのできる限り大きな滞留時間を達成するという原理に基づいている。ことに、ここでは次の群から選択される水吸収装置を使用することができる：固定床（「packed beds」）、スプレー塔（「spray columns」）、流下膜式装置（「falling-films」）、気泡塔（「bubble columns」）、複数のトレーを備えた塔（「tray column」）、湿式スクラバー（例えば「Venturi scrubbers」）、混合容器（「stirred tank」）およびこれらの吸収装置の組み合わせ。特に好ましくは、水吸収装置として、流下膜式装置、ことに管束型流下膜式装置が使用される。
【００５１】
第３の構成要素として、本発明による装置Ｖ2は、熱交換器Ｗx2を備え、かつ液状の吸収媒体ＡVOから水を少なくとも部分的に除去するために設置されている水脱着ユニットＷdes2を含む。このために、ことに当業者に公知の、熱交換器と水脱着装置との組み合わせを使用することができる。水脱着ユニットＷdes2は、液状の吸収媒体ＡVOに熱を供給し、液状の吸収媒体ＡVOの表面積を増大させ、かつ同時に水脱着ユニット内で液状の吸収媒体ＡVOのできる限り大きな滞留時間を達成するという原理に基づいている。
【００５２】
熱交換器Ｗx2を備えた水脱着ユニットＷdes2として、この場合、ことに熱交換器と水脱着装置との当業者に公知の組み合わせ、ことに上流側に設置された熱交換器、ことに管束式熱交換器（「shell and tube」）、プレート式熱交換器（plate and frame）を備えたスプレー式蒸発器（「horizontal tube evaporator」）を使用することができる。その他に、熱交換器Ｗx2を備えた水脱着ユニットＷdes2は、組込型の熱交換器を備えた水脱着装置であってもよい。組込型の熱交換器を備えたこのような水脱着装置は、ことに、上昇膜式蒸発器、流下膜式蒸発器（「long-tube vertical」）、Robert蒸発器（「short-tube vertical」）、強制循環型蒸発器（「forced circulation」）、薄膜型蒸発器（「agitated thin film」）である。特に好ましくは、水脱着ユニットＷdes2として、流下膜式装置、ことに管束型流下膜式装置が使用される。
【００５３】
第４の構成要素として、本発明による装置Ｖ2は、水吸収ユニットＷabs2を水脱着ユニットＷdes2に連結し、かつ液状の吸収媒体ＡVOを循環するように案内可能である循環路Ｕ2を含む。好ましくは、循環路Ｕ2は導管、さらにより好ましくは管、ホースからなる群から選択される導管である。さらに好ましい実施形態の場合に、循環路Ｕ2はポンプも有する。
【００５４】
本発明による装置Ｖ2の本質的な特徴は、少なくとも部分的に、アルミニウム素材からなる表面ＯAl（ＯAlは、本発明の主旨で、「Oberflaeche aus einem Aluminiumwerkstoff（アルミニウム素材からなる表面）」の省略形を表す）を有することである。
【００５５】
アルミニウム素材とは、本発明の主旨で、ことに合金化されていないアルミニウムであるとも、アルミニウムの含有量が、含まれる他の任意の元素よりも大きいアルミニウム合金であるとも解釈することができる。好ましくは、アルミニウム素材は、合金化されていないアルミニウムである。
【００５６】
合金化されていないアルミニウムは、ことに＞９９．０質量％、より好ましくは＞９９．９質量％の純度を有する高純度アルミニウムである。
【００５７】
アルミニウム合金は、アルミニウムの他に、ことに、マグネシウム、マンガン、ケイ素、亜鉛、鉛、銅、チタン、鉄からなる群から選択される少なくとも１種の合金金属、より好ましくはマグネシウム、マンガン、ケイ素、亜鉛、鉛、銅、チタンからなる群から選択される少なくとも１種の合金金属を含む。アルミニウム素材は、ことに、鍛造合金または鋳造合金として存在してもよい。
【００５８】
本発明による装置Ｖ2の別の本質的な特徴は、その装置Ｖ2内に、液状の吸収媒体ＡVOがアルミニウム素材からなる表面ＯAlと接触する接触表面が存在することである。これは、液状の吸収媒体ＡVOがこの接触面でアルミニウム素材からなる表面ＯAlと直接接触していることを意味する。「直接接触している」とは、本発明の主旨で、特に「濡れる」ことを意味する。この場合、液状の吸収媒体ＡVOと、接触面に含まれるアルミニウムとが直接接触していることは自明である。接触面に含まれるアルミニウムは、この場合、特に制限されないが、ことに単体アルミニウムまたはアルミニウム化合物、例えばことに不動態化されたアルミニウム（この場合、不動態化されたアルミニウムとは、ことに酸化アルミニウムを意味する）からなる群から選択される。
【００５９】
好ましい実施形態の場合に、装置Ｖ2は、（水脱着ユニットＷdes2に備わる熱交換器Ｗx2に加えてさらに）別の熱交換器Ｗy2を備える。熱交換器Ｗy2は、水吸収ユニットＷabs2から水脱着ユニットＷdes2に供給される液状の吸水媒体ＡVOに、水脱着ユニットＷdes2から搬出された液状の吸収媒体ＡVOの熱を加えることができるように設置されている。これは、ことに、熱交換器Ｗy2として、ことに、管束型熱交換器（「shell and tube」）、プレート型熱交換器（「plate and frame」）から選択される熱交換器を使用することにより保証することができる。
【００６０】
さらに好ましい実施形態の場合に、装置Ｖ2は吸収式冷凍機の一部として存在する。この吸収式冷凍機は、このとき、さらなる構成要素として、凝縮装置（「凝縮器」とも呼ばれる）、蒸発装置および冷媒を含み、この場合、冷媒は水である。
【００６１】
凝縮装置は、ことに、導管を介して水脱着ユニットＷdes2に連結されていて、かつ水脱着ユニットＷdes2内の液状の吸収媒体ＡVOから少なくとも部分的に分離された水を凝縮するために設置されている。好ましくは、凝縮装置は冷却水循環路も含む。
【００６２】
蒸発装置は、ことに、導管（絞り弁を備えていてよい）を介して凝縮装置に連結されていて、かつ別の導管を介して水吸収ユニットＷabs2に連結されていて、かつ凝縮装置からの凝縮水を蒸発させるために設置されている。好ましくは、蒸発装置は、できる限り低い温度で凝縮水の蒸発を可能にするために、＜１ｂａｒ、さらにより好ましくは＜０．１ｂａｒの圧力も含む。さらに好ましくは、蒸発装置は、付加的に、熱を取り除くことができ、それにより凝縮した水を蒸発させることができる装置（例えば、冷媒を空間内に導入する冷媒導管、この空間内で水を蒸発させる）を備えることができる。
【図面の簡単な説明】
【００６３】
【図１】本発明による装置Ｖ2またはＶ1の一実施形態を示す図
【図２】装置Ｖ2が組み込まれている吸収式冷凍機を模式的に記載する図
【００６４】
次に説明される図１および図２は、本発明による方法および本発明による装置の好ましい実施形態を示す。
【００６５】
図１（略して「Fig. 1」）は、本発明による装置Ｖ2またはＶ1の一実施形態を示す。
【００６６】
図１に示す装置Ｖ2は、（任意付加的な熱交換器Ｗz2＜１０４＞を備えた）水吸収ユニットＷabs2＜１０３＞、熱交換器Ｗx2＜１０８＞および水脱着装置＜１０９＞を備えた水脱着ユニットＷdes2、および循環路Ｕ2を備え、この水吸収ユニットＷabs2内へ導管＜１０１＞が通じかつこの水吸収ユニットＷabs2から導管＜１０２＞が導出されていて、この水脱着ユニットＷdes2内へ導管＜１１１＞が通じかつこの水吸収ユニットＷdes2から導管＜１１０＞、＜１１２＞および＜１１３＞が導出され、かつこの循環路Ｕ2は、導管＜１０６＞、＜１１１＞および＜１１３＞または＜１０６＞、＜１１１＞、＜１１２＞および＜１０５＞から（もしくはそれぞれ導管＜１１４＞と共に）形成される。その他に、この装置は図１では、任意に、別の熱交換器Ｗy2＜１０７＞も備えていてよく、この別の熱交換器Ｗy2内に導管＜１０６＞および＜１１２＞が通じ、かつこの別の熱交換器Ｗy2から導管＜１０５＞および＜１１１＞が導出されている。さらに、この装置Ｖ2は、液状の吸収媒体ＡVOも含む。この液状の吸収媒体ＡVOは、上述の構成要素の水吸収ユニットＷabs2、水脱着ユニットＷdes2、循環路Ｕ2の１つ以上の中に存在する。水吸収ユニットＷabs2＜１０３＞は、任意に付加的熱交換器Ｗz2＜１０４＞を備えていてもよい。この場合、装置Ｖ2、ことに水吸収ユニットＷabs2、水脱着ユニットＷabs2、循環路Ｕ2からなる群から選択される構成要素の少なくとも１つは、少なくとも部分的に、アルミニウム素材からなる表面ＯAlを有し、かつ液状の吸収媒体ＡVOがアルミニウム素材からなる表面ＯAlと接触する少なくとも１つの接触面が存在する。任意に、循環路Ｕ2は、付加的に液状の吸収媒体を搬送するためのポンプを備えていてもよい。
【００６７】
装置Ｖ1は、吸収媒体ＡVOなしの装置Ｖ2に対応し、図１および図２の図面の説明では、それぞれ符号Ｕ2、Ｗabs2、Ｗdes2、Ｗx2、Ｗy2、Ｗz2は、それぞれＵ1、Ｗabs1、Ｗdes1、Ｗx1、Ｗy1またはＷz1に置き換えられる。
【００６８】
本発明による方法は、図１に基づいて装置Ｖ1を参照して例示的に説明される：
湿潤ガス混合物Ｇの流れ（これは、例えば、湿潤空気、湿潤天然ガス、または吸収式冷凍機の蒸発器に由来する湿潤ガス混合物であることができる、この可能性に関しては図２も参照）を、導管＜１０１＞を介して水吸収ユニットＷabs1＜１０３＞に供給し、かつそこで、水吸収ユニットＷabs1＜１０３＞に導管＜１０５＞または導管＜１１３＞を介して供給される液状の吸収媒体ＡVEと接触させる。水吸収ユニットＷabs1＜１０３＞は、Ｗabs1について上述した水吸収装置のいずれであってもよいが、ことに流下膜式装置である。導管＜１０１＞を介して供給されたガス混合物Ｇの、水吸収ユニットＷabs1＜１０３＞内での、導管＜１０５＞または導管＜１１３＞を介して供給される液状の吸収媒体ＡVEとの接触により、液状の吸収媒体ＡVEと比べて高められた含水率を有する液状の吸収媒体ＡVE1と、導管＜１０２＞を介して搬出される、湿潤ガス混合物Ｇと比べて低い含水率を有するガス混合物Ｇ1の流れが得られる。Ｇ1は、適用に応じて、ことに除湿された空気または除湿された天然ガスである。水吸収ユニットＷabs1＜１０３＞は、任意に、付加的熱交換器Ｗz1＜１０４＞を有していてもよい。好ましくは、導管＜１０６＞、＜１１１＞および熱交換器Ｗy1＜１０７＞を介して（または、熱交換器Ｗy1＜１０７＞が使用されていない場合には、導管＜１０６＞、＜１１１＞および＜１１４＞を介して）、液状の吸収媒体ＡVE1は、熱交換器Ｗx1＜１０８＞および水脱着装置＜１０９＞からなる水脱着ユニットＷdes1に案内される。任意の熱交換器Ｗy1＜１０７＞内で、水を負荷した液状の吸収媒体ＡVE1に、付加的に熱を加えることができる。次いで、水脱着装置＜１０９＞内で、液状の吸収媒体ＡVE1から水の除去が行われ、それにより、液状の水吸収媒体ＡVE1と比べて低い含水率を有する液状の水吸収媒体ＡVE2が得られる。次いで、分離された水は、液状でまたは蒸気として、好ましくは蒸気として、水脱着装置＜１０９＞から導管＜１１０＞を介して導出される。液状の吸収媒体ＡVE2は、水脱着装置＜１０９＞から搬出され、かつ水吸収ユニットＷabs1＜１０３＞にまた返送される。これは、つまり図１中で破線で表された導管＜１１３＞を介して直接通すことができる。これとは別にかつ好ましくは、液状の吸収媒体ＡVE2を導管＜１１２＞を介して任意の熱交換器Ｗy1＜１０７＞に供給することができ、この熱交換器Ｗy1内で、次いで導管＜１０６＞を介して任意の熱交換器Ｗy1＜１０７＞に供給された、液状の吸収媒体ＡVE1に、導管＜１１２＞を介して任意の熱交換器Wy1＜１０７＞に供給された液状の吸収媒体ＡVE2からの熱が加えられる。濃縮された液状の吸収媒体ＡVE2を、導管＜１０５＞または＜１１３＞を介して水吸収ユニットＷabs1に供給した後に、この液状の吸収媒体ＡVE2は、改めてＡVEとして、ガス流の少なくとも部分的な除湿のために新たなサイクルで使用される。この方法中で、図１による装置、好ましくは水吸収ユニットＷabs1＜１０３＞（図１では、これは熱交換器＜１０４＞を備える）、水脱着ユニットＷdes1（図１では、これは熱交換器＜１０８＞を備える）、循環路Ｕ1（これは、図１では、導管＜１０６＞、＜１１１＞、＜１１３＞または＜１０６＞、＜１１１＞、＜１１２＞、＜１０５＞から、もしくはそれぞれ付加���に任意の導管＜１１４＞を含めて、構成される）からなる群から選択される構成要素の少なくとも１つは、少なくとも部分的に、アルミニウム素材からなる表面ＯAlを有し、かつこの装置中に、液状の吸収媒体ＡVE、ＡVE1、ＡVE2の少なくとも１つがアルミニウム素材からなる表面ＯAlと接触する少なくとも１つの接触面が存在することが本発明で重要である。
【００６９】
図２（略して「Fig. 2」）は、装置Ｖ2が組み込まれている吸収式冷凍機を模式的に記載する。構成要素＜１０１＞〜＜１１４＞は、図１で説明した装置Ｖ2と同様である。付加的に、吸収式冷凍機は、図２において、凝縮器＜２１１＞を備え、この凝縮器＜２１１＞は、導管＜１１０＞を介して水脱着ユニットＷdes2＜１０９＞に連結されていて、かつ水脱着ユニットＷdes2内の液状の吸収媒体ＡVOから少なくとも部分的に分離された水を凝縮するために設置されている。好ましくは、凝縮器＜２１１＞は、冷却水を供給することができる熱交換器＜２１２＞も備える。
【００７０】
図２に示された吸収式冷凍機は、蒸発器＜２１４＞も備え、この蒸発器＜２１４＞は、凝縮器＜２１１＞と（任意に絞り弁＜２１３＞を備えていてよい）導管＜２１６＞を介して連結されていて、かつ導管＜１０１＞を介して水吸収ユニットＷabs2と連結されている。蒸発器＜２１４＞は、凝縮器からの凝縮された水を蒸発させるために設置されている。さらに好ましくは、蒸発器＜２１４＞は、付加的に熱交換器＜２１５＞を備えていてもよく、この熱交換器＜２１５＞に媒体が供給され、この媒体から、凝縮された水を蒸発させるために、熱が取り出される（例えば、冷媒としてことに水を用いる冷媒導管、この場合この冷媒は蒸発器＜２１４＞内に案内される）。
【００７１】
本発明による方法（以後、装置Ｖ1については、図２を参照して説明する）の１実施形態の場合に、蒸発器＜２１４＞に由来する湿潤ガス混合物Ｇは、導管＜１０１＞を通して水吸収ユニットＷabs1＜１０３＞に供給される。水脱着ユニットＷdes1内で分離された水は、導管＜１１０＞を介して凝縮器＜２１１＞に供給され、この凝縮器＜２１１＞内でこの水は再び凝縮される。場合により、このために、冷却水循環路は、凝縮器内に取り付けられた熱交換器＜２１２＞として同様に使用される。凝縮した水は、導管＜２１６＞を介して蒸発器＜２１４＞に供給され、この蒸発器＜２１４＞内で、ことに低圧で水の蒸発が行われ、かつこうして冷却効果が生じる。任意に、このために絞り弁＜２１３＞を使用することもできる。これにより、蒸発器＜２１４＞内で、冷却作用が達成され、かつ例えば熱交換器＜２１５＞を介して冷媒を冷却することができる。生じた水蒸気を、次いで、導管＜１０１＞を介して水吸収ユニットＷabs1＜１０３＞に再び供給する。
【００７２】
次の実施例は、本発明を説明するが、本発明を何らかの形で制限するものではない。
【００７３】
実施例
次の試験系列を実施した：
１．  試験系列：Ｅ１、Ｖ１〜Ｖ４
１．１  使用された化学物質
ＥＭＩＭ  ＤＥＰ（＝エチルメチルイミダゾリウムジエチルホスファート）は、Sigma Aldrichから得られた。
【００７４】
ＥＭＩＭ  ＨＳＯ4（＝エチルメチルイミダゾリウムヒドロゲンスルファート）は、Sigma Aldrichから得られた。
【００７５】
ＬｉＣｌは、Sigma Aldrichから得られた。
【００７６】
Ｒ＝エチル基を有するＭＭＩＭ+Ｈ+ＲＯＰＯ32-（ジメチルイミダゾリウムヒドロゲンモノエチルホスファート）は、次のように得られた：
低温恒温槽中に、−５℃でメチルアミン（４．８ｍｏｌ）、ホルムアルデヒド（２．４ｍｏｌ）およびリン酸モノエチルエステル（２．４ｍｏｌ）を計量供給した。混合物を１時間撹拌し、次いでグリオキサール（２．４ｍｏｌ）を添加した。引き続き、揮発性成分を減圧下で回転蒸発器で除去し、かつ純物質を得た。
【００７７】
１．２  試験実施
７０℃でかつ空気中で、３ｃｍ×７ｃｍの寸法および３ｍｍの厚みを有するアルミニウムプレート（高純度アルミニウム、純度＞９９．０％）を、それぞれの液体３５０ｍｌ中に浸漬した。金属プレートの周りが均一に洗われることを保証するために、液体を試験の間に撹拌した。除去速度（除去速度＝「腐食されたアルミニウムによる損失」、表１中では、「ｇ／ｍ2・年」の単位で表す）の決定を、浸漬されたアルミニウムプレートから腐食生成物を化学的および機械的に除去した後に質量測定により実施した。この結果は、次の表１に示されている。
【００７８】
１．３  結果
表１
【表１】
0006667610.tif 000002
【００７９】
表１の結果から明らかなように、腐食は、Ｅ１で挙げられた液状の吸収媒体を使用する場合、Ｖ１〜Ｖ４で使用された液状の吸収媒体よりも明らかに低い。したがって、意外にも、アルミニウムの腐食を、本発明による液状の吸収媒体を使用することにより、先行技術で使用された液状の吸収媒体と比べて低減することができる。
【００８０】
２．  試験系列：Ｅ２、Ｅ３、Ｖ５
この効果は、次の試験系列で確認される。
【００８１】
２．１  使用された化学物質
ＥＭＩＭ  ＤＥＰ（＝エチルメチルイミダゾリウムジエチルホスファート）は、Sigma Aldrichから得られた。
【００８２】
Ｒ＝エチルを有するＭＭＩＭ+Ｋ+ＲＯＰＯ32-（＝ジメチルイミダゾリウムカリウムモノエチルホスファート）は、次のように得られた：低温恒温槽中に、−５℃でメチルアミン（４．８ｍｏｌ）、ホルムアルデヒド（２．４ｍｏｌ）およびリン酸モノエチルエステル（２．４ｍｏｌ）を計量供給した。混合物を１時間撹拌し、次いでグリオキサール（２．４ｍｏｌ）を添加した。引き続き、揮発性成分を減圧下で回転蒸発器で除去し、こうして得られた純物質のｐＨ値を５０質量％の水酸化カリウム水溶液でｐＨ７．０〜７．５に調整した。
【００８３】
ＭＭＩＭ  ＭｅＳＯ3（＝ジメチルイミダゾリウムメチルスルホナート）は、次のように得られた：低温恒温槽中に、−５℃でメチルアミン（４．８ｍｏｌ）、ホルムアルデヒド（２．４ｍｏｌ）およびメタンスルホン酸（２．４ｍｏｌ）を計量供給した。混合物を１時間撹拌し、次いでグリオキサール（２．４ｍｏｌ）を添加した。引き続き、揮発性成分を減圧下で回転蒸発器で除去し、かつ純物質を得た。
【００８４】
２．２  試験実施
７０℃でかつ空気中で、３ｃｍ×７ｃｍの寸法および３ｍｍの厚みを有するアルミニウムプレート（高純度アルミニウム、純度＞ ９９．０質量％）を、それぞれの液体３５０ｍｌ中に浸漬した。金属プレートの周りが均一に洗われることを保証するために、液体を試験の間に撹拌した。
【００８５】
試験Ｅ２、Ｅ３、Ｖ５では、湿式化学評価を、ＩＣＰ／ＯＥＳ（Inductively Coupled Plasma Optical Emission Spectrometry）を用いて媒体中のＡｌを測定することにより行った。溶液中の測定されたアルミニウム含有率は、使用されたアルミニウムプレートの質量に関して外挿された。結果は、次の表２に示されている。
【００８６】
２．３  結果
表２
【表２】
0006667610.tif 000003
【００８７】
表２の結果から明らかなように、意外にも、アルミニウムの腐食を、本発明による液状の吸収媒体を使用することにより、先行技術で使用された液状の吸収媒体と比べて低減することができる。
【００８８】
３．  試験系列Ｅ４、Ｅ５、Ｖ６、Ｖ７
３．１  使用された化学物質
ＥＭＩＭ  ＤＥＰ（＝エチルメチルイミダゾリウムジエチルホスファート）は、Sigma Aldrichから得られた。
【００８９】
ＥＭＩＭ  ＤＭＰ（＝エチルメチルイミダゾリウムジメチルホスファート）はSigma Aldrichから得られた。
【００９０】
３．２  試験実施
３ｃｍ×７ｃｍの寸法および３ｍｍの最大厚みを有するアルミニウムプレート（高純度アルミニウム、純度＞９９．０％）に、それぞれの液体を３滴滴下した。接触角の決定は、ＳＯＰ１８２７に従って実施した。結果は、次の表３に示されている。
【００９１】
３．３  結果
表３
【表３】
0006667610.tif 000004
【００９２】
この結果は、本発明による吸収媒体（Ｅ４、Ｅ５）が、先行技術（Ｖ６、Ｖ７）のものと比べて低い接触角を有し、したがって本発明による方法または本発明による装置において良好な熱伝導が保証されることを示す。このことを、Ｅ４とＥ６、またはＥ５とＥ７との比較が示す：対イオンとしてのジメチルホスファートと比べて、対イオンとしてジエチルホスファートを有するイミダゾリウム塩を使用する場合、意外にも、アルミニウム含有表面に対してより小さな接触角が達成される。これにより、改善された表面濡れ性が生じ、したがってジエチルホスファートの使用の場合に、より高くかつ効率的な熱交換が生じる。
【図１】
0006667610.tif 000005
【図２】
0006667610.tif 000006